(57)【要約】      （修正有）【課題】テストプラグの通電部の腐食劣化を簡易な方法で抑制して、点検・修理費を削減するともに、省スペースで保管することにより管理を適切に行うことで長期間品質を維持できるテストプラグ収納容器を提供する。【解決手段】テストプラグ１０の通電部２０の両端を挟み込むように一対の保護部材３０を密着させることにより、通電部２０を外気から遮断することにより、気温の変動で生じる通電部表面の湿潤や塵埃との接触を断つことができる。【選択図】図１
2013131401.tif 000002
【特許請求の範囲】
【請求項１】
テストプラグの通電部の導体に保護部材を密着させることを特徴とするテストプラグの収納具
【請求項２】
前記一対の保護部材を容器に固定し、テストプラグが接触しない程度の間隔で通電部の差し込み口を配置したことを特徴とする請求項１に記載のテストプラグの収納具
【請求項３】
前記一対の保護部材と通電部の接触面に清掃用シートを設けたことを特徴とする請求項１，２に記載のテストプラグ収納具
【発明の詳細な説明】
【技術分野】
【０００１】
本発明はテストプラグの品質を維持するための収納具に関する      
【背景技術】
【０００２】
電力系統を監視制御するために用いる配電盤には主回路から計器用変成器を介して電圧、電流が入力される。これらの電圧、電流は継電器や各種の測定計器とともに、テストターミナルと呼ばれる点検、試験用の外部出力端子にも印加される。
そして、この配電盤のテストターミナルと外部の試験、測定機器を通電させるためにテストプラグと呼ばれる端子を用いる。図６にテストプラグの構造を示す。テストプラグ１０は、通電部２０を配電盤のテストターミナル（図示せず）へ挿入することにより、配電盤の電圧、電流の電気信号を得る。また、これを外側端子１１，内側端子１２を通じて試験用の機器へ通電することで、例えば継電器の試験などを行うことができる。ここで、通電部２０は図８のテストプラグ側面図に示すように表面部が金属製の導体（上側導体２１、下側導体２２）で構成されている。
そして、通電部２０は図８のテストプラグ側面図に示すように表面部が金属製の導体（上側導体２１、下側導体２２）で構成されている。この導体は外気に晒されて保管されており、温湿度の変動によって湿潤したり塵埃が付着しやすく、長期間を経た場合には導体が腐食を生じる場合があり、通電機能に支障が生じる。
また、テストプラグは自立しにくい不安定な形状であるため、棚などに保管をする場合、図７の正面図のような状態で横置きせざるを得ず、保管スペースを要する。
対策としては、テストプラグを適切な収納容器に保管することが望ましく、例えば特許文献１に示すような収納容器があるが、テストプラグは独特の形状であるため２つしか収納できず、収納棚に整然と並べるには多くのスペースと収納箱を要することとなる。
また、こうしたテストプラグの保管場所は、狭隘な敷地に変電所を立地しなくてはならない場合が多いことから、倉庫などの保管スペースに限りがある。さらに、こうした倉庫スペースが確保できない変電所においては、現地の変電所内のミニクラッドなどの小さな電機設備内の空きスペースなどに保管をせざるを得ない場合もあり、保管場所に苦慮している。
さらに、こうした保管場所においては湿度調整のために特別な設備を設けることは困難であり、結果してテストプラグの通電部の腐食が進行しやすい環境となっており、点検、修繕などの維持管理に苦慮している実態にある。
【先行技術文献】
【特許文献】
【０００３】
【特許文献１】登録実用新案公報第３０１３１０１号
【発明の概要】
【発明が解決しようとする課題】
【０００４】
本発明では、前述のようなテストプラグの通電部の腐食劣化を簡易な方法で抑制できるとともに省スペースで保管することにより、点検・修理費や管理の手間を省略し、長期間品質を維持できる収納容器を提供する。
【課題を解決するための手段】
【０００５】
請求項１の発明は、テストプラグの通電部の導体に保護部材を密着させることを特徴とする。
従って、テストプラグの通電部を外気から遮断し、通電部表面の湿潤や塵埃との接触を断つことができる。
【０００６】
請求項２の発明は、前記一対の保護部材を容器に固定し、テストプラグが接触しない程度の間隔で通電部の差し込み口を配置したことを特徴とする。
従って、テストプラグを省スペースで収納できるとともに、より一層外気を遮断し、通電部表面の湿潤や塵埃との接触を断つことができる。
【０００７】
請求項３の発明は、前記一対の保護部材と通電部の接触面に清掃用シートを設けたことを特徴とする。
従って、点検時等に通電板の表面に付着した塵埃をテストプラグの収納時に容易に除去することができる。
【発明の効果】
【０００８】
本発明によれば、テストプラグの通電部の腐食劣化を抑止する事が出来るとともに省スペースでの保管が可能となり、テストプラグの品質を長期間維持することが出来るとともに保管場所や管理手間の省力化が可能となる。
【図面の簡単な説明】
【０００９】
【図１】本実施形態によるテストプラグの通電部の保護方法を説明する図である
【図２】本実施形態による収納容器を説明する斜視図である
【図３】本実施形態による収納容器を説明する正面図である
【図４】本実施形態による収納容器を説明する側面図である
【図５】本実施形態による収納容器を説明する透視図である
【図６】本実施形態による収納容器を説明する透視図である
【図７】本実施形態によるテストプラグを説明する斜視図である
【図８】本実施形態によるテストプラグを説明する正面図である
【図９】本実施形態によるテストプラグを説明する側面図である
【発明を実施するための形態】
【実施例】
【００１０】
以下に本発明における実施例を説明する。図１に示すように通電部２０の通電部２０の両端（導体２１，２２）を挟み込むように一対の保護部材３０、３０を密着させることにより、外気との接触を遮断し、気温の変動で生じる金属表面の湿潤（結露）を防止することができる。また、塵埃の付着を防ぐことができるため、通電部の導電性を良好に保つことができる。
なお、本実施例では一対の保護部材を例示したが、通電部に密着して外気を遮断することができれば、箱状の保護体などを用いても良い。また、通電部と保護部材との密着方法としては、保護部材間隔を通電部の厚みと同等にしたり、保護部材に２枚の板状の弾性体を利用して前述の保護部材間隔を通電部の厚さより若干狭い間隔で配置するとともに、２枚の保護部材間隔を連結部材で拘束し、この間に通電部を差し込み弾性部材に生じる変形に伴って発生する弾性部材の復元力で密着力を確保することができる。また、通電部を挟み込む２枚の保護部材間の拘束部材にばね機能を有する部材や磁力によって外力を加えて密着をさせても良い。
【００１１】
保護部材３０には、通電部表面を傷つけることの無いように例えばウレタン材料等を用いると良い。
【００１２】
図２に収納容器の実施例を示す。箱状の収納容器４０はテストプラグ１０の通電部２０を差し込むことが可能な差し込み口４１が複数設けられている。差し込み口４１は、図３に示すように容器下端まで通じており、差し込み口４１の内面には保護部材３０を接着などの方法で固定する。保護部材３０は図４や図５に示すように通電部を十分に覆うことができるように設置するとともに、通電部２０を隙間無く密着して挟み込むことができるような幅で設置する。この差し込み口にテストプラグ１０の通電部２０を差し込むことにより、前述のとおり、通電部表面の外気との接触を遮断するとともに、テストプラグを縦置きにすることができる。差し込み口の設置間隔はテストプラグ同士が接触しない程度の間隔で設けることで、必要最低限のスペースでテストプラグの保管が可能となる。また、箱状の収納容器であるため、水分や塵埃の侵入を防ぐことができる。なお、図６に示すように収納容器４０には上蓋を設けても良い。上蓋を設けることによりテストプラグ１０自体を密閉することができるため、より一層水分や塵埃の侵入を抑止することができる。
【００１３】
保護部材３０と通電部が接触する面には、清掃機能を持つシート材料を設けると良い。差し込み口への通電部の出し入れ時に清掃用シートにより、導体に付着した塵埃を除去することができるため、通電部の良好な状態を保つことができ、また、清掃手間を省略することができる。
【産業上の利用可能性】
【００１４】
本発明は、テストプラグの品質を長期間にわたり維持するための収納具として利用することができる。
【符号の説明】
【００１５】
１０・・・テストプラグ
１１・・・外側端子
１２・・・内側端子
２０・・・通電部
２１・・・上側導体
２２・・・下側導体
３０・・・保護部材
４０・・・収納容器
４１・・・差し込み口
４２・・・上蓋
【図１】
2013131401.tif 000003
【図２】
2013131401.tif 000004
【図３】
2013131401.tif 000005
【図４】
2013131401.tif 000006
【図５】
2013131401.tif 000007
【図６】
2013131401.tif 000008
【図７】
2013131401.tif 000009
【図８】
2013131401.tif 000010
【図９】
2013131401.tif 000011